(57)【要約】【課題】能動消音装置の消音効果を向上した換気装置を提供する。【解決手段】能動消音風路６の吸込口２を構成する４つの壁面２１のうちエラーマイク１８を設置する第一の壁面２２の上流側開口部１６を、他の壁面２３の上流側開口部１６における第二曲面２８の曲率より小さい曲率を有する第一曲面２６からなる所謂ベルマウス形状とすることにより、気流のノイズによる相関性の低下を抑制し、消音効果を向上した換気装置を提供する。【選択図】図１
2017101863.tif 000002
【特許請求の範囲】
【請求項１】
空気の流れ方向における上流側にて空気を吸い込む吸込口と、
前記吸込口より吸い込んだ空気を排出する排出口と、
前記吸込口と前記排出口とを連通する風路部と、
前記風路部の内部にて前記吸込口から前記排出口へと空気を導く送風部と、
前記送風路の内部かつ前記風路部の上流側に設けられた第一の壁面と他の壁面とを有する角筒形状の能動消音風路と、
リファレンスマイクとスピーカとエラーマイクから構成され能動消音風路内の消音を行う能動消音装置とを備え、
前記第一の壁面に前記エラーマイクを設置し、
前記他の壁面は前記能動消音風路の上流側開口部を外広がり形状とした換気装置。
【請求項２】
前記上流側開口部の外広がり形状は、
前記第一の壁面とその他の壁面に外広がりの曲面としてそれぞれ第一曲面と第二曲面を有し、前記第一曲面の曲率を、前記第二曲面の曲率より小さくした請求項１に記載の換気装置。
【請求項３】
前記上流側開口部は、前記第一の壁面を延長する方向に突出した凸部材を備えた請求項１に記載の換気装置。
【請求項４】
前記凸部材は、最上流側となる底部において曲面を有することを特徴とする請求項３に記載の換気装置。
【発明の詳細な説明】
【技術分野】
【０００１】
本発明は、風路部内に配置して運転時に発生する騒音を消音する能動消音装置を備えた換気装置に関するものである。
【背景技術】
【０００２】
近年、居室に設置される換気扇において、その運転時に発生する騒音を低下することが求められている。このような課題を解決する手段の一つとして、送風路内にダクト構成の能動消音装置を搭載するという方法が挙げられる。
【０００３】
従来、この種の能動消音装置におけるマイクロホンの設置構成として、マイクロホンが気流に起因したノイズを拾うと、正確な騒音信号を取得できなくなり、消音効果が低下するという課題があった。このような課題を解決する手段の一つとして、風路内の気流の影響を緩和するために角型ダクト内の低速気流範囲である隅部に空間を設けてマイクロホンを設置したものが知られている（例えば特許文献１参照）。
【０００４】
以下、その能動消音器について図７、図８を参照しながら説明する。
【０００５】
従来、ダクト構成の能動型消音装置としては、薄板鋼板製の角型ダクト１０１の内部に気流１０６の上流側から適宜間隔をそれぞれ設けて順次付設された内部原音のリファレンスマイク１０２，消音用スピーカ１０３，エラーマイク１０４ と、それらとそれぞれ接続された演算制御器１０５とから構成されるものが知られている。
【０００６】
この種の装置において、角型ダクト１０１内を気流１０６とともに伝搬する発生音は、リファレンスマイク１０２で周波数等が検出され、演算制御器１０５で上記原音と逆位相の信号が作成され、それが消音用スピーカ１０３から角型ダクト１０１内に放出され上記原音をキャンセル消音し、エラーマイク１０４が内部音をモニターし、演算制御器１０５でエラーマイク１０４の出力が零になるように消音用スピーカ１０３を自動的に調整している。
【０００７】
ここで、図８に示すように、リファレンスマイク１０２，エラーマイク１０４はそれぞれ角型ダクト１０１において流速が低い隅部に設けたマイクロホン用区画１０７内に配設されており、マイクロホン用区画１０７は連通口１０８により角型ダクト１０１内に通じている。これにより、上記ダクト内で発生する気流の乱れに基づくノイズを拾うことがないとともに、上記気流を伝播する騒音原音を十分拾うことができる。その結果、気流がマイクロホンに与える影響を低減することができ、消音効果の劣化を抑制することが期待されていた。
【先行技術文献】
【特許文献】
【０００８】
【特許文献１】実開平５−１１１９８号公報
【発明の概要】
【発明が解決しようとする課題】
【０００９】
しかしながら上記特許文献１に記載の能動消音装置では、より大風量が要求される換気装置に能動消音装置を適応したところ、角型ダクトの隅部と中央部における風速に大きな差が生じず、隅部における風速も大きくなるためマイクロホンが気流に起因したノイズを拾い、消音効果が得られ難いということが判明した。
【００１０】
そこで本発明は、上記課題を解決するものであり、所望の風量を確保しつつ、能動消音装置の消音効果を向上させた換気装置を提供することを目的とする。
【課題を解決するための手段】
【００１１】
そして、本発明は上記目的を達成するために、空気の流れ方向における上流側にて空気を吸い込む吸込口と、前記吸込口より吸い込んだ空気を排出する排出口と、前記吸込口と前記排出口とを連通する風路部と、前記風路部の内部にて前記吸込口から前記排出口へと空気を導く送風部と、前記送風路の内部かつ前記風路部の上流側に設けられた第一の壁面と他の壁面とを有する角筒形状の能動消音風路と、リファレンスマイクとスピーカとエラーマイクから構成され能動消音風路内の消音を行う能動消音装置とを備え、前記第一の面に前記エラーマイクを設置し、前記他の壁面は前記能動消音風路の上流側開口部を外広がり形状とした換気装置であり、これによって所期の目的を達成するものである。
【発明の効果】
【００１２】
本発明によれば、所望の風量を確保しつつ、気流による消音効果の低下を抑制することができる。
【図面の簡単な説明】
【００１３】
【図１】本発明の実施の形態１に係る換気装置の構成概略図
【図２】本発明の実施の形態１に係る換気装置の側断面図
【図３】本発明の実施の形態１に係る換気装置の他の構成における側断面図
【図４】本発明の実施の形態２に係る換気装置の構成概略図
【図５】本発明の実施の形態２に係る換気装置の側断面図
【図６】本発明の実施の形態２に係る換気装置の能動消音風路の上流側開口部周辺を示す図
【図７】従来の換気装置に搭載される能動消音装置の側断面図
【図８】従来の換気装置に搭載される能動消音装置の断面図
【発明を実施するための形態】
【００１４】
本発明の請求項１に係わる換気装置は、空気の流れ方向における上流側にて空気を吸い込む吸込口と、前記吸込口より吸い込んだ空気を排出する排出口と、前記吸込口と前記排出口とを連通する風路部と、前記風路部の内部にて前記吸込口から前記排出口へと空気を導く送風部と、前記送風路の内部かつ前記風路部の上流側に設けられた第一の壁面と他の壁面とを有する角筒形状の能動消音風路と、リファレンスマイクとスピーカとエラーマイクから構成され能動消音風路内の消音を行う能動消音装置とを備え、前記第一の壁面に前記エラーマイクを設置し、前記他の壁面で前記能動消音風路の上流側開口部を外広がり形状としたものである。
【００１５】
これにより、上流側開口部における圧損は、エラーマイクを設置していない他の壁面がエラーマイクを設置した第一の壁面に比べ小さくなり、他の壁面側から流入される流量が多くなる。言い換えると、エラーマイクを設置した第一の壁面近傍における気流の密度が他の壁面近傍における気流の密度よりも小さくなる。すなわちエラーマイクを設置した第一の壁面近傍における風速が小さくなるため、エラーマイクが受ける気流乱れによるノイズの影響を軽減することができ、その結果、消音効果を向上することができる。
【００１６】
また、本発明の請求項２に係わる換気装置は、前記上流側開口部の外広がり形状は、前記第一の壁面とその他の壁面に外広がりの曲面としてそれぞれ第一曲面と第二曲面を有し、前記第一曲面の曲率を、前記第二曲面の曲率より小さくしたものである。
【００１７】
これにより、エラーマイクを設置する壁面の上流側開口部を第一曲面と第二曲面とで曲面とすることで、気流は滑らかに能動消音風路内に導かれるため、吸込口周辺における気流の渦の発生を抑制することができる。特に、エラーマイクを設置する第一の壁面の上流側開口部における第一曲面の曲率を他の壁面の第二曲面に比べて小さくすることによって、他の壁面の上流側開口部における圧損の方が小さくなり、エラーマイクを設置する第一の壁面側から流入される流量が少なくなる。
【００１８】
すなわち、エラーマイクを設置する第一の壁面側と他の壁面側における気流密度の片寄りを維持しつつ、吸込口における気流の渦の発生を抑制することができる。その結果、エラーマイクが受ける気流乱れによるノイズの影響を軽減することができ、消音効果を向上することができる。
【００１９】
また、本発明の請求項３に係わる換気装置は、前記上流側開口部は、前記壁面第一の壁面を延長する方向に突出した凸部材を備えたものである。
【００２０】
これにより、エラーマイクを設置した壁面の上流側開口部における圧損が大きくなる。つまり、第一の壁面側における圧損と他の壁面２３側における圧損の差が大きくなり、第一の壁面近傍における風速がより小さくなる。更に、吸込口端部からエラーマイクまでの距離が長くなるため、吸込口で生じる気流の渦がエラーマイクまで到達することを抑制することができる。その結果、エラーマイクが受ける気流乱れによるノイズの影響を軽減することができ、消音効果を向上することができる。
【００２１】
また、本発明の請求項４に係わる換気装置は、前記凸部材は、最上流側となる底部において曲面を有するものである。
【００２２】
これにより、気流は滑らかに能動消音風路内に導かれるため、吸込口周辺における気流の渦の発生を抑制することができる。その結果、エラーマイクが受ける気流乱れによるノイズの影響を軽減することができ、消音効果を向上することができる。
（実施の形態１）
以下、本発明の実施の形態１に係る換気装置の構成について、図１、図２を参照しながら説明する。なお図１は、本発明の実施の形態１に係る換気装置の構成概略図である。なお図１では、理解に供するために換気装置１の外郭の一部（前面と一つの側面）を省略している。図２は本発明の実施の形態１に係る換気装置１の側断面図である。
【００２３】
図１に示すように、本実施の形態１に係る換気装置１は、外形が略直方体の筐体から成る。
【００２４】
換気装置１は、筐体に設けた吸込口２と排出口３を備えている。また、換気装置１の内部には、吸込口２と排出口３を連通させる風路部４と、風路部４内には、能動消音装置５としての能動消音風路６と送風部７とを備えている。
【００２５】
排出口３は、換気装置１における気流の流れ方向において最下流（図１の上方）に位置し、送風部７の流出口８と連通している。
【００２６】
即ち、換気装置１の上流側に能動消音風路６が配置され、下流側に送風部７が配置された構成となっている。
【００２７】
送風部７は、円形の多翼ファン９と、多翼ファン９を回転させるモータ（図示せず）と、多翼ファン９を包み込むケーシング１０と、多翼ファン９の回転の中心となる回転軸１１とを備えている。モータ（図示せず）は、回転軸１１と同軸上にあり、送風部７内部の空間に埋め込んで配置されている。また、回転軸１１は、気流の流れ方向（図１の下方から上方）に対して直行して配置されている。流入口１２は、ケーシング１０の略円形側面に設けられ、かつ、回転軸１１に垂直に設けられている。
【００２８】
送風部７は、ケーシング１０に開口した流入口１２において上流側の空気を吸気し、流出口８から空気を排出することで、吸込口２から吸い込んだ空気を排出口３から換気装置１の外部に排出する。
【００２９】
送風部７の上流側には、気流の流れ方向に垂直な板体の下流側仕切壁１３が配置されている。下流側仕切壁１３は、風路部４を上流側と下流側とに仕切るものであるが、風路部４の一部をなす開口１４を備えたものでもある。
【００３０】
換気装置１の空気の流れ方向において最上流（図１の下方）には上流側仕切壁１５が配置されている。吸込口２は、上流側仕切壁１５に換気装置１の外部から空気を吸い込む開口部として設けられている。
【００３１】
能動消音風路６は、吸込口２の下流側において、能動消音風路６の上流側開口部１６と吸込口２とを連通して設けられている。また、能動消音風路６の下流側開口部１７は下流側仕切壁１３の開口１４と連通して設けられている。能動消音風路６は、気流の流れ方向に対して垂直な断面の形状を四角形としている。
【００３２】
続いて、能動消音装置５を備えた能動消音風路６の構成について詳しく説明する。
【００３３】
能動消音装置５は、能動消音風路６の気流の流れ方向において吸込口２側から順に、エラーマイク１８、スピーカ１９、リファレンスマイク２０を備えている。加えて、リファレンスマイク２０の信号から位相と振幅を調整した音声信号を生成してスピーカ１９から発振させる演算制御器（図示せず）を備えている。
【００３４】
なお、エラーマイク１８とスピーカ１９は、能動消音風路６の気流の流れ方向において中央部より吸込口２側に寄せると共に、リファレンスマイク２０は、同じように中央部より騒音源である送風部７側に寄せて設置している。結果としてエラーマイク１８とスピーカ１９とはリファレンスマイク２０に比べて吸込口２から近い位置に配置されている。
【００３５】
能動消音風路６は、すでに説明したように断面の形状が四角形をしている。すなわち、４つの壁面２１で囲んだ中空状の角筒形状を有しており、風路断面が略正方形となっている。なお、正方形の一辺の長さは最大消音周波数においてスピーカ１９の発生音がダクト内部で平面波となるよう、平面波条件より最大消音周波数の半波長としている。
【００３６】
そして、リファレンスマイク２０とエラーマイク１８とスピーカ１９は、前記４つの壁面２１のうち第一の壁面２２に設置している。
【００３７】
図２に示すように、能動消音風路６を構成する４つの壁面２１の最上流は吸込口２において上流側開口部１６が形成されている。ここで、４つの壁面２１のうち他の壁面２３で能動消音風路６の上流側開口部１６を上流側に向かって外側へ傾きを有する平面からなる外広がり形状２４としている。なお、外広がり形状２４は、平面で構成しても曲面で構成してもよい。
【００３８】
また、外広がり形状２４は、図３に示すように４つの壁面２１において、平面に比べてよりなめらかに空気を集めることができる曲面を有する所謂ベルマウス形状とすることもできる。この場合には、エラーマイク１８を取り付けた第一の壁面２２における上流側開口部１６の第一曲面２６の曲率は、それ以外の３面である他の壁面２３の上流側開口部１６の第二曲面２８の曲率よりも小さいものとする。なお、外広がり形状２４を第一の壁面２２に設けることは必須ではない。
【００３９】
以上が、本実施の形態に係る換気装置１の構成である。
【００４０】
続いて、換気装置１の稼動時における各部の動作や作用について説明する。
【００４１】
上記構成において、換気装置１において送風部７が稼動すると、吸込口２から排出口３に至る気流が発生する。これと同時に、送風部７が稼動することに起因する騒音が能動消音風路６を通り吸込口２から放射される。
【００４２】
能動消音風路６は、音圧を気流の流れ方向に対して垂直な断面方向で均一となる平面波にする作用を有するため、風路内では一次元的に音圧が伝播する。そこで能動消音装置５において、リファレンスマイク２０が騒音を検出し、検出した騒音を騒音信号として演算制御器（図示せず）に伝達する。
【００４３】
演算制御部は、まずリファレンスマイク２０で検出した音からエラーマイク１８を配置した位置での音を予測する。予測は、あらかじめ求められたリファレンスマイク２０とエラーマイク１８の相関性に基づいて行われる。次に予測した音を打ち消すための逆位位相の音声信号を生成し、これをスピーカ１９から発生させて消音する。さらにエラーマイク１８に伝達する音と前記予測した音にズレが生じて消音効果が低下することを防ぐために、エラーマイク１８が検出した音を演算制御部に送信することで、演算制御部が相関性を修正する。これにより消音効果を向上させている。
【００４４】
この仕組みでは、リファレンスマイク２０が検出する音とエラーマイク１８が検出する音の相関性が高いほど、消音効果を高くすることができる。この相関性を高めるためには、リファレンスマイク２０で検出した音と同じ音がエラーマイク１８に伝わることが必要である。しかし、例えば、一方のマイクにしか聞こえないような音が発生すると、相関性は低下することとなる。
【００４５】
この相関性を低下させる要因のひとつが、気流自体のノイズ音や気流の乱れにより発生する渦のノイズ音である。これらのノイズをマイクロホンが検知すると、送風部７から伝播する正しい騒音を検知できなくなる。したがって、マイクロホン近傍の流速を小さくすることや渦の発生を抑制することが、高い相関性を得るためには重要である。
【００４６】
次に、本実施の形態の特徴であるエラーマイク１８を取り付けた第一の壁面２２における上流側開口部１６の第一曲面２６の曲率を、それ以外の他の壁面２３の曲面である第二曲面２８の曲率よりも小さくすることによる作用について、図３を用いて説明する。
【００４７】
図３に示すように、吸込口２を構成する４つの壁面２１の上流側開口部１６は略ベルマウス形状となっているが、エラーマイク１８を取り付けた第一の壁面２２における上流側開口部１６の第一曲面２６の曲率のみ、第二曲面２８の上流側開口部１６の曲率よりも小さいものとしている。例えば、エラーマイク１８を取り付けた第一の壁面２２における上流側開口部１６の第一曲面２６の曲率はそれ以外の第二曲面２８の上流側開口部１６の曲率の約１／３とする。
【００４８】
これにより吸込口における外広がり形状２４の広がりの大きさに変化をつけることで部分的に流量に片寄りが生まれ、広がりの大きさが大きいほど圧損が小さく気流がより流入されやすくなる。すなわち、上流側開口部１６における曲面の曲率が大きい他の壁面２３側からの流入量が多く、曲率が小さい第一の壁面２２からの流入量が少なくなる。その結果、エラーマイク１８を取り付けた第一の壁面２２近傍における気流の流速は他の壁面２３近傍に比べ小さくなり、エラーマイクが受ける気流によるノイズの影響を軽減することができる。また、第一の壁面２２に外広がり形状２４を設けない場合でも、他の壁面２３に外広がり形状２４を設けることで他の壁面２３側からの流入量が多くなるため、同様の効果を奏する。
【００４９】
更に、エラーマイク１８を取り付けた第一の壁面２２の上流側開口部１６に設けた所謂ベルマウス形状によって、気流はなめらかに能動消音風路６内に流入されるため、吸込口２における気流の乱れの発生が抑制される。したがって、エラーマイク１８が受ける気流の渦によるノイズの影響を抑制することができる。
【００５０】
その結果、エラーマイク１８は、気流によるノイズの影響はほとんど受けることなく、送風部７から伝播する正しい騒音を検知することができ、高い相関性を維持することにより消音効果を向上することができる。なお、リファレンスマイク２０は能動消音風路６において気流の下流側に配置されており、気流が十分整流化された領域に位置するため、吸込口２における渦流やノイズの影響は受けにくくなる。したがって、リファレンスマイク２０は他の壁面２３に取り付けても良い。
【００５１】
以上のように、吸込口２における略ベルマウス形状の曲面のうち、エラーマイク１８を取り付けた第一の壁面２２における上流側開口部１６の第一曲面２６の曲率は、それ以外の他の壁面２３の上流側開口部１６の第二曲面２８の曲率よりも小さくすることで、高い消音性能を確保した換気装置１を実現することができるのである。
（実施の形態２）
実施の形態２において、実施の形態１と同様の構成要素については同一の符号を付し、その詳細な説明は省略し、図４、図５、図６を参照しながら説明する。なお、図４は本発明の実施の形態２に係る換気装置の構成概略図である。なお図４では、理解に供するために換気装置１の外郭の一部を省略している。図５は本発明の実施の形態２に係る換気装置の側断面図である。図６は本発明の実施の形態２に係る能動消音風路の上流側開口部１６周辺を示す図である。
【００５２】
図４に示すように、本実施の形態２における換気装置１では、エラーマイク１８を取り付けていない他の壁面２３の上流側開口部１６を平面に比べてよりなめらかに空気を集めることができる曲面を有する所謂ベルマウス形状とし、吸込口２には、エラーマイク１８を取り付けた第一の壁面２２を能動消音風路６の気流の上流外側へ延長する方向に突出した取り外し可能な凸部材２９を備えている。第一の壁面２２を延長ことは、上流側仕切壁１５に凸部材２９を立設して実現することができる。
【００５３】
凸部材２９は長方形の開口３０を有する箱体である。前記開口３０を形成する長辺と短辺を含む４つの側壁に囲まれている。前記長辺を含む側壁３１と短辺を含む側壁３２と底部３３から構成している。
【００５４】
側壁３１の長辺の長さは少なくとも第一の壁面２２の幅とし、エラーマイク１８を取り付けた第一の壁面２２の延長上に側壁３１が位置するように合わせて、かつ開口３０を上流側仕切壁１５に向け設置されている。すなわち、凸部材２９の側壁３１によって能動消音風路６のエラーマイク１８を取り付けた第一の壁面２２は吸込口２から更に上流側へ延長されることとなる。
【００５５】
上記構成により、エラーマイク１８を取り付けていない他の壁面２３の上流側開口部１６を所謂ベルマウス形状として、吸込口２に、第一の壁面２２を延長する凸部材２９を設けることで、エラーマイク１８を取り付けた第一の壁面２２側の圧損は、エラーマイク１８を取り付けていない他の壁面２３側の圧損に比べて大きくなる。したがって、エラーマイク１８を取り付けた第一の壁面２２側からの気流の流入量を少なくすることができる。その結果、エラーマイク１８を取り付けた第一の壁面２２近傍における気流の流速は他の壁面２３近傍に比べ小さくなり、エラーマイクが受ける気流によるノイズの影響を軽減することができる。
【００５６】
更に、図５に示すように、凸部材２９の設置状態において最上流部となる底部３３は吸込口２から離れる方向に湾曲させた丸みを帯びた面形状となっている。これにより、凸部材２９の底部３３における気流の渦の発生を低減することができる。また、凸部材２９の一方の側壁３１によって能動消音風路６のエラーマイク１８を取り付けた第一の壁面２２は上流側へ延長されるため、エラーマイク１８から最上流である底部３３までの長さが長くなる。よって、気流がエラーマイク１８位置に到達するまでに整流作用が働きやすくなり、エラーマイク１８が受ける気流乱れの影響を更に抑制することができる。
【００５７】
さらに、図６に示すように、凸部材２９の能動消音風路６側に面する側壁３１は、底部３３からの高さを他方の側壁３１および側壁３２の高さに比べて数ミリ程度低くすることで、凸部材２９と能動消音風路６の第一の壁面２２との接続部にスリット状の隙間３４を設けることができる。これにより、能動消音風路６は吸込口２部分で凸部材２９の内部と空間的に連通させることとなる。この構成により、凸部材２９は、台所に設置する場合には油の捕集のため、浴室に設置する場合には結露水の捕集のために用いることができる。
【００５８】
なお、油や結露水の捕集を行なうためには、凸部材２９を取り外し可能な箱体とすることが好ましい。しかし、これらの用途に用いる必要がなければ、内部に空洞を設けず、上流側仕切壁１５と一体の構成としても良い。
【００５９】
以上のように、エラーマイク１８を取り付けた第一の壁面２２の上流側開口部１６に、第一の壁面２２を延長する方向に突出した凸部材２９を備え、エラーマイク１８を取り付けていない他の壁面２３の上流側開口部１６を平面に比べてよりなめらかな曲面を有する所謂ベルマウス形状とすることで、高い消音性能を確保した換気装置１を実現することができる。
【００６０】
なお、実施の形態を通して能動消音風路６は、角筒形状を有するものとして説明をしたが、四角形以外の多角形でも良い。また、エラーマイク１８を備えた第一の壁面２２を平面として、他の壁面２３は曲面で構成しても良い。本実施の形態では、この場合でも、第一の壁面２２と他の壁面２３との接続部に角ができるので角筒形状に含まれるものとする。
【００６１】
また、能動消音風路６は、複数の各筒形状のものを用意して並列の風路を形成しても良い。
【産業上の利用可能性】
【００６２】
本発明にかかる換気装置は、騒音を押さえた住宅用の換気扇やレンジフードなどの換気装置として有用である。
【符号の説明】
【００６３】
１    換気装置
２    吸込口
３    排出口
４    風路部
５    能動消音装置
６    能動消音風路
７    送風部
８    流出口
９    多翼ファン
１０    ケーシング
１１    回転軸
１２    流入口
１３    下流側仕切壁
１４    開口
１５    上流側仕切壁
１６    上流側開口部
１７    下流側開口部
１８    エラーマイク
１９    スピーカ
２０    リファレンスマイク
２１    ４つの壁面
２２    第一の壁面
２３    他の壁面
２４    外広がり形状
２６    第一曲面
２８    第二曲面
２９    凸部材
３０    開口
３１    側壁
３２    側壁
３３    底部
３４    隙間
【図１】
2017101863.tif 000003
【図２】
2017101863.tif 000004
【図３】
2017101863.tif 000005
【図４】
2017101863.tif 000006
【図５】
2017101863.tif 000007
【図６】
2017101863.tif 000008
【図７】
2017101863.tif 000009
【図８】
2017101863.tif 000010